(57)【要約】【課題】床材に追加施工することなく、パネルを繊維質系床材の任意の位置に簡単に固定することができるようにした移動間仕切装置を提供する。【解決手段】パネル３の下端部を床材に固定するための固定手段９は、各パネル３の側枠８の下部に上下方向に移動可能に設けられたロッド１０と、ロッド１０を繊維質系床材５に向かって進退移動させる操作部材１１と、ロッド１０の下端に設けられ、少なくとも先端部が繊維質系床材５に食い込み可能な尖鋭部となっている突起１２と、を備える。【選択図】  図３
2020133216.tif 000002
【特許請求の範囲】
【請求項１】
天井に設けられたガイドレールに沿って移動させることにより室内を仕切る複数のパネルに、該パネルの下端部を床材に固定するための固定手段を設けてなる移動間仕切装置であって、
前記床材は繊維質系床材であり、
前記固定手段は、前記各パネルの下部に上下方向に移動可能に設けられたロッドと、
前記ロッドを前記繊維質系床材に向かって進退移動させる操作部材と、
前記ロッドの下端に設けられ、少なくとも先端部が前記繊維質系床材に食い込み可能な尖鋭部となっている突起と、
を備えることを特徴とする移動間仕切装置。
【請求項２】
前記突起は複数設けられていることを特徴とする請求項１に記載の移動間仕切装置。
【請求項３】
前記突起は、前記ロッドの下端に取付けられた床材グリップの下面に設けられていることを特徴とする請求項１または２に記載の移動間仕切装置。
【請求項４】
前記突起は、円盤状に形成された前記床材グリップの外周に沿って等間隔おきに設けられていることを特徴とする請求項３に記載の移動間仕切装置。
【発明の詳細な説明】
【技術分野】
【０００１】
本発明は、天井に設けられたガイドレールに沿って移動する複数のパネルの側端面同士を互いに接合させることにより、室内を簡易的に仕切る移動間仕切装置に係り、特に、パネルの下端部をカーペット等の繊維質系床材に簡単に固定しうるようにした移動間仕切装置に関する。
【背景技術】
【０００２】
移動間仕切装置には、パネルが天井に設けたガイドレールに吊支された状態で移動する形式のものと、パネルの下部にキャスタを設け、パネルの自重を床面により支えながら天井のガイドレールに沿って移動する形式のものとがある。これらいずれの形式の移動間仕切装置においても、複数のパネルの側端面同士を接合させて室内を仕切った後、各パネルが移動しないように床材に固定する必要があるが、従来においては、例えば特許文献１に記載されているように、床材の所定位置に予め埋め込まれた受け坪に対し、パネルに設けた挿入ロッドを落とし込むことにより(一般にフランス落としと称されている)、各パネルを床材に固定している。
【先行技術文献】
【特許文献】
【０００３】
【特許文献１】特許第４７６３１５８号公報(段落００２１、００２２、図１)
【発明の概要】
【発明が解決しようとする課題】
【０００４】
特許文献１に記載されているパネルの固定手段では、床材の所定位置に複数の受け坪を埋め込むための追加施工が必要となるだけでなく、移動間仕切装置を使用しないときに受け坪が露出するので床材の美観が損なわれる。
【０００５】
また、受け坪は床材の定位置に設けられているので、パネルを任意の位置に固定することはできず、例えばホワイトボードやプレゼンテーション用ボード等を組み込んだパネルを所望の位置まで移動させてそれらのボードを使用する場合に不便である。
【０００６】
さらに、タイル等の硬質床材にカーペット等の繊維質系床材が敷設されている場合には、受け坪の開口部がカーペットに埋没して挿入ロッドの挿入が困難となるおそれがある。
【０００７】
本発明は、このような問題点に着目してなされたもので、床材に追加施工することなく、パネルを繊維質系床材の任意の位置に簡単に固定することができるようにした移動間仕切装置を提供することを目的としている。
【課題を解決するための手段】
【０００８】
前記課題を解決するために、本発明の移動間仕切装置は、
天井に設けられたガイドレールに沿って移動させることにより室内を仕切る複数のパネルに、該パネルの下端部を床材に固定するための固定手段を設けてなる移動間仕切装置であって、前記床材は繊維質系床材であり、前記固定手段は、前記各パネルの下部に上下方向に移動可能に設けられたロッドと、前記ロッドを前記繊維質系床材に向かって進退移動させる操作部材と、前記ロッドの下端に設けられ、少なくとも先端部が前記繊維質系床材に食い込み可能な尖鋭部となっている突起と、を備えることを特徴としている。
この特徴によれば、操作部材を操作してロッドを下降させ、突起の先端部の尖鋭部を繊維質系床材に食い込ませるだけで、各パネルを任意の位置に簡単に固定することができる。従って、従来のように、床材に落としロッド挿入用の受け坪を埋め込むための追加施工は必要なく、かつ受け坪が露出して床材の美観が損なわれるということもない。
【０００９】
前記突起は複数設けられていることを特徴としている。
この特徴によれば、複数の突起が繊維質系床材に食い込むので、パネルの移動を確実に防止することができる。
【００１０】
前記突起は、前記ロッドの下端に取付けられた床材グリップの下面に設けられていることを特徴としている。
この特徴によれば、突起が繊維質系床材に深く食い込むと、板状をなす床材グリップの下面が繊維質系床材の表面に当接するので、突起が繊維質系床材に必要以上に食い込むのを防止することができる。
【００１１】
前記突起は、円盤状に形成された前記床材グリップの外周に沿って等間隔おきに設けられていることを特徴としている。
この特徴によれば、複数の突起が繊維質系床材に広い領域で円形状に食い込むので、パネルに多方向からの力が加わっても安定よく固定することができる。また、繊維質系床材の表面に突起の食い込み痕が残りにくくなるので、繊維質系床材を損傷させたり、美観が損なわれたりするのが防止される。
【図面の簡単な説明】
【００１２】
【図１】本発明の移動間仕切装置により室内を仕切っている状態の斜視図である。
【図２】パネルの正面図である。
【図３】パネルの側枠における固定手段の取付部を縦断して示す拡大正面図である。
【図４】図３のIV−IV線における縦断面図である。
【図５】図３のV−V線における拡大横断面図である。
【図６】板状部材の拡大底面図である。
【図７】床材への固定手段による固定を説明する図であり、（ａ）は固定前の状態、（ｂ）は固定後の状態、（ｃ）は他の固定後の状態を示す図である。
【図８】床材グリップの変形例を示す拡大斜視図である。
【図９】突起をロッドの下端に直接設けた変形例を示す拡大側面図である。
【発明を実施するための形態】
【００１３】
本発明の実施形態を、実施例及び図面に基づいて以下に説明する。
【実施例】
【００１４】
図１〜図６は、実施例に係る移動間仕切装置を示すもので、移動間仕切装置１は、図１及び図２に示すように、オフィス等の室内の天井Ｒに取り付けられたガイドレール２により上部が案内されて移動する複数のパネル３を備えている。各パネル３の下面の両側端部には、タイル等の硬質床材４の表面に敷設されたカーペット等の繊維質系床材５の表面に沿って走行するキャスタ６、６が取り付けられている。なお、キャスタ６を省略し、各パネル３がガイドレール２に吊支された状態で移動する形式の移動間仕切装置であってもよい。
【００１５】
各パネル３は、不使用時にはガイドレール２の一端部に連続する枠状の格納レール７に格納され、格納されたパネル３を順次１枚ずつガイドレール２に沿って所定位置まで手動で移動させ、互いに隣接するパネル３の側端面同士を接合させることにより室内を仕切ることができる。
【００１６】
各パネル３は、一枚の光透過性のパネル板３ａを枠により４辺を囲われて構成されおり、上枠にはガイドレール２に案内される案内部材が取り付けられており、下枠には上述したキャスタ６が取り付けられ、一対の側枠８はそれぞれ隣接するパネル３の側枠８に突き合わせて接合可能となっている。なお、パネル板３ａは光透過性のものに限られず、さらに一枚に限られない。
【００１７】
各パネル３における間仕切り時に進行方向後側となる側枠、すなわち図１及び図２において左側の側枠８の下部には、間仕切り後の各パネル３が移動しないように繊維質系床材５に固定するための固定手段９が設けられている。固定手段９は、図３〜図５に示すように、角管状をなす側枠８内の下部に上下方向に移動可能に収容されたロッド１０と、このロッド１０を手動操作により進退移動させる操作部材１１と、ロッド１０の下端に取り付けられた、下面に複数の突起１２を有する円盤状の床材グリップ１３とを備えている。
【００１８】
ロッド１０は、上部側の角軸ロッド１０ａと、下部側の丸軸ロッド１０ｂとからなり、角軸ロッド１０ａの下端部に形成された下方に開口する雌ねじ孔１４に、丸軸ロッド１０ｂの上端部に連設された雄ねじ軸１５を螺合させることにより一体化されている。
【００１９】
図５に示すように、側枠８の下部内には、平面視右向きコ字状断面をなすロッドガイド１６が上下方向に移動不能に嵌合され、このロッドガイド１６内に角軸ロッド１０ａが上下方向に移動可能に嵌合されている。側枠８の下端の開口部にはカバー部材１７が嵌着されており、丸軸ロッド１０ｂは、カバー部材１７の貫通孔を貫通して、下端部が側枠８の下端より突出し、カバー部材１７によりガイドされるようになっている。
【００２０】
操作部材１１は、つまみ部１１ａとピン部１１ｂとからなり、ピン部１１ｂの先端部には雄ねじ１１ｃが形成されている。ピン部１１ｂは、側枠８の内側面(右側面)に形成された上下方向のガイド長孔１８に沿って移動するように、雄ねじ１１ｃが角軸ロッド１０ａの上端部に形成された内側方に開口する雌ねじ孔１９に螺合されている。これにより、つまみ部１１ａを上下方向に操作すると、それに連動してロッド１０を上下方向に移動させることができる。
【００２１】
図４に示すように、角軸ロッド１０ａの下端部には、パネル３の厚さ方向を向く貫通孔２０が形成され、この貫通孔２０には、圧縮コイルばね２１と、これにより互いに外向きに付勢される１対の鋼球２２、２２とが収容されている。ロッドガイド１６の互いに対向する側片１６ａ、１６ａには、鋼球２２の直径よりも若干小径の停止孔２３、２３が形成され、この停止孔２３、２３に鋼球２２、２２が係合することにより、ロッド１０は、図４に示すように上限位置で停止保持されるようになっている。
【００２２】
床材グリップ１３は、上面の中央部に形成された有底の雌ねじ孔２４を、丸軸ロッド１０ｂの下端部に形成された雄ねじ軸２５に螺合することにより、丸軸ロッド１０ｂの下端に取り付けられている。床材グリップ１３の下面の突起１２は逆円錐形をなし、先端部(下端部)は繊維質系床材５に食い込み可能な尖鋭部となっている。図６に示すように、突起１２は、円形に配列されるように床材グリップ１３の外周に沿って等間隔おきに設けられている。なお、突起１２を有する床材グリップ１３は、例えばアルミダイカストや硬質合成樹脂等により一体成形することができる。
【００２３】
以上説明した実施例に係る移動間仕切装置１においては、格納されたパネル３を順次１枚ずつガイドレール２に沿って所定位置まで移動させ、互いに隣接するパネル３の側端面同士を接合させて室内を仕切った後、床材グリップ１３の突起１２の先端部を繊維質系床材５に食い込ませるだけで、各パネル３を仕切り位置で簡単に固定することができる。
【００２４】
詳細には、図３の実線に示す状態及び図７（ａ）に示す状態から、操作部材１１を操作してロッド１０を下降させると、鋼球２２、２２は角軸ロッド１０ａとともに下方に移動し停止孔２３、２３から抜け出る。さらに、ロッド１０を床材グリップ１３が繊維質系床材５に当接するまで下降させると固定操作が完了し、図３の２点鎖線で示す状態及び図７（ｂ）に示す状態となる。このとき、圧縮コイルばね２１は、停止孔２３，２３に嵌合する停止状態よりも圧縮され１対の鋼球２２、２２はロッドガイド１６の側片１６ａ，１６ａに向けて付勢されロッド１０の上下方向位置を維持するようになっている。
【００２５】
このように、床材グリップ１３の突起１２の先端部を繊維質系床材５に食い込ませるだけで、各パネル３を仕切り位置で簡単に固定することができる。従って、従来のように、床材に落としロッド挿入用の受け坪を埋め込むための追加施工は必要なく、かつ受け坪が露出して床材の美観が損なわれるということもない。しかも、床材に追加施工する必要がないので、例えばリフォーム等により室内を改装する際に床面を修復する必要もなく、環境を配慮したものとなっている。
【００２６】
また、パネル３を任意の位置に固定しうるので、例えばホワイトボードやプレゼンテーション用ボード等を組み込んだパネル３を所望の位置まで移動させてそれらのボードを使用する場合に便利である。
【００２７】
さらに、突起１２は床材グリップ１３の下面１３ａに設けられ、突起１２が繊維質系床材５に一定深さまで食い込むと、床材グリップ１３の下面１３ａが繊維質系床材５の表面５ａに当接するので、突起１２が繊維質系床材に必要以上に食い込むのを防止することができる。なお、床材グリップ１３の下面１３ａを繊維質系床材５の表面５ａに当接させることは必須ではなく、図７（ｃ）に示すように、突起１２が繊維質系床材５に食い込んでいれば、床材グリップ１３の下面１３ａと繊維質系床材５の表面５ａとは離間していてもよい。
【００２８】
さらに、突起１２は床材グリップ１３の外周に沿って設けられ、複数の突起１２が繊維質系床材５に広い領域で円形状に食い込むので、パネル３に多方向からの力が加わっても安定よく固定することができ、かつ繊維質系床材５の表面に突起１２の食い込み痕が残りにくくなるので、繊維質系床材５を損傷させたり、美観が損なわれたりするのが防止される。
【００２９】
以上、本発明の移動間仕切装置を実施例に基づいて説明したが、具体的な構成はこの実施例に限定されるものではなく、発明の要旨を逸脱しない範囲内で、次のような種々の変形や変更があっても、本発明に含まれる。
例えば、前記実施例では、突起１２を床材グリップ１３の外周に沿って等間隔おきに設けているが、床材グリップ１３の下面にランダムに配置してもよく、また突起１２は、針状や短寸のワイヤブラシ状のものであってもよい。
【００３０】
また、前記実施例のような床材グリップ１３に代えて、図８に示すように、円筒形の周壁の下端に複数の突起２６ａが等間隔おきに連設された円形キャップ状の床材グリップ２６を使用してもよい。このような床材グリップ２６をロッド１０の下端に取付けるには、床材グリップ２６の上壁に穿設された取付孔２６ｂに、丸軸ロッド１０ｂの雄ねじ軸２５を挿入し、床材グリップ２６の下方から雄ねじ軸２５にナット２７を螺合すればよい。
【００３１】
さらに、前記実施例では、下面に突起１２を有する床材グリップ１３をロッド１０の下端に取付けているが、このような床材グリップ１３を省略して、図９に示すように、ロッド１０の下端に複数または１個の突起１２を直接設けてもよい。
【００３２】
また、固定状態のときに、圧縮コイルばね２１と１対の鋼球２２、２２によってロッド１０の上下方向位置を維持しているが、他の手段、例えば締結ネジ等によって上下方向位置を維持するようにしてもよい。
【００３３】
また、操作部材１１がロッド１０に固定されている例について説明したが、操作時にのみロッド１０に操作部材１１を取り付けるようにしてもよい。このようにすることで、固定状態では操作部材１１が取り外されているため、見栄えがよくなる。
【００３４】
また、固定手段９を各パネル３の進行方向後側の側枠８に設けているが、進行方向前側の側枠にも設けてもよい。また、固定手段９をパネル板３ａ等のパネル本体に設けてもよく側枠８が設けられていないパネルにも本発明を適用することができる。
【符号の説明】
【００３５】
１                移動間仕切装置
２                ガイドレール
３                パネル
４                硬質床材
５                繊維質系床材
６                キャスタ
７                格納レール
８                側枠
９                固定手段
１０              ロッド
１０ａ            角軸ロッド
１０ｂ            丸軸ロッド
１１              操作部材
１１ａ            つまみ部
１１ｂ            ピン部
１１ｃ            雄ねじ
１２              突起
１３              床材グリップ
１４              雌ねじ孔
１５              雄ねじ軸
１６              ロッドガイド
１６ａ            側片
１７              カバー部材
１８              ガイド長孔
１９              雌ねじ孔
２０              貫通孔
２１              圧縮コイルばね
２２              鋼球
２３              停止孔
２４              雌ねじ孔
２５              雄ねじ軸
２６              床材グリップ
２６ａ            突起
２６ｂ            取付孔
Ｒ                天井
【図１】
2020133216.tif 000003
【図２】
2020133216.tif 000004
【図３】
2020133216.tif 000005
【図４】
2020133216.tif 000006
【図５】
2020133216.tif 000007
【図６】
2020133216.tif 000008
【図７】
2020133216.tif 000009
【図８】
2020133216.tif 000010
【図９】
2020133216.tif 000011